(57)【要約】【課題】カウンターに効果的に用いることのできる手すりを設ける。また、この手すりにカウンター機能を持たせる。【解決手段】、カウンター４０の縁４０ａに沿って手すりバー２０を備え付ける手すり取付金物３０で、アーム部３１と、このアーム部３１の一端側にカウンター４０の下面部４０ｂに対する取付部３３を、他端側に手すりバー２０の下面部２０ａに対する取付部３２を備え、アーム部３１が各取付部３２、３３から下方に突き出し状に湾曲または屈曲してある取付金物３０と、この取付金物３０で手すりバーにカウンター機能を持たせるように構成した手すり付きカウンター。【選択図】図１
2006144451.tif 000002
【特許請求の範囲】
【請求項１】
カウンターの縁に沿って手すりバーを備え付ける手すり取付金物であって、
この手すり取付金物が、アーム部と、このアーム部の一端側に備えられて前記カウンターの下面部に取り付けられる取付部と、このアーム部の他端側に備えられて前記手すりバーの下面部に取り付けられる取付部とを備えており、
このアーム部が前記それぞれの取付部から下方に向けて突き出すように湾曲または屈曲してあることを特徴とする手すり取付金物。
【請求項２】
前記カウンターの下面部に組み付けられる取付部が当該カウンターの下面部に備えられる凹部に収まるようにしてあることを特徴とする請求項１に記載の手すり取付金物。
【請求項３】
アーム部と、このアーム部の一端側に備えられてカウンターの下面部に取り付けられる取付部と、このアーム部の他端側に備えられて手すりバーの下面部に取り付けられる取付部とを備えており、しかも、このアーム部が前記それぞれの取付部から下方に向けて突き出すように湾曲または屈曲してある手すり取付金物における前記一方の取付部に止着されたカウンターの上面と、他方取付部に止着された手すりバーの上端とがほぼ同一の仮想の平面内に位置づけられていることを特徴とする手すり付きカウンター。
【発明の詳細な説明】
【技術分野】
【０００１】
この発明は、カウンターの縁に沿って効果的に手すり機能を奏し得る手すりバーを容易に取り付け構成し得る手すり取付金物及び作業カウンタースペースを効果的に拡張された手すり付きカウンターの提供に関する。
【背景技術】
【０００２】
居住空間内には各種のカウンターが設備されており、それぞれの設置目的に対応して用いられている。
【０００３】
例えば、各種のニッチカウンター、出窓部のカウンター、下駄箱等の玄関先収納キャビネットのカウンター、洗面化粧台のカウンター、システムキッチンを構成するカウンター等の各種カウンターはそれぞれの目的に対応した機能を奏し得るように構成されており、それぞれの設置目的に応じた態様で用いられている。
【０００４】
このように居住空間内に設置される各種カウンターは、その設置位置等の関係上、これらのカウンターを手すり的に用いたり、寄りかかりの手段等として用いられるケースが多々見受けられる。
しかしながら、このようにカウンターを身体の支え手段等として用いる場合にあっても、指掛かり等の当該カウンターを都合よく把持して身体を支える手段を備えておらず、これらのカウンターを支えの手段として立ち上がりや、移動等の各種の行動を安全になすには難があった。
【０００５】
かかる点から、これらのカウンターにおける先端縁部に沿って溝や長孔を設け、この溝や長孔によって区分された当該カウンターの縁部分を手すり的に握り用い得るように工夫したものがある。
【０００６】
しかしながら、各種形態からなるカウンターの先端縁に沿って都合良く手すり機能を効果的に奏し得るカウンター部分を区分構成するために、カウンター材の化粧を損なうことなく当該カウンターに溝彫りや長孔の穿設等の加工を施すことは、熟練した者による丁寧な作業を要し、カウンターの製作コストが割高となる不具合があった。
【０００７】
かかる点から、特許文献１に示されるような手すりバーの取り付け構造が提案されている。
【０００８】
この特許文献１に示される手すりバーの取り付け具は、カウンターの下方にある幕板に前面開口の保持ケースを側方に向けて突き出すように固着すると共に、手すりバーに固着した挿入具を当該保持ケースに挿入保持し、この挿入具と前記保持ケースとを固定するように構成してある。
【０００９】
しかしながら、このように幕板から側方に向けて突き出すように固着された保持ケースの前端側に手すりバーを備えるようにした構成にあっては、このカウンターの前面側に横向に突き出し備えられる保持ケースによって当該カウンターにおける外観体裁が損なわれる不具合が認められる。
【００１０】
また、かかる構成の手すりバーの取り付け構造にあっては、当該手すりバーを握った移動等に際して前記保持ケースが妨げとなり、手すりバーを握ってなされる各種動作の円滑さを損なう不具合が認められる。
【特許文献１】特開平８−３８０
【発明の開示】
【発明が解決しようとする課題】
【００１１】
この発明は、かかる従前のカウンターや手すりの取り付け構造における不具合を解消し、カウンターに格別の加工処理を施すことなく、容易に手すりバーを備え付け得ると共に、外観体裁の良好なカウンターを構成し得る手すり取付金物及び効果的にカウンタースペースを拡張し得る手すり付きカウンターの容易な構成提供をなそうとするものである。
【課題を解決するための手段】
【００１２】
第１の発明は、前記課題を解決するために、カウンターの縁に沿って手すりバーを備え付ける手すり取付金物であって、
この手すり取付金物が、アーム部と、このアーム部の一端側に備えられて前記カウンターの下面部に取り付けられる取付部と、このアーム部の他端側に備えられて前記手すりバーの下面部に取り付けられる取付部とを備えており、
このアーム部が前記それぞれの取付部から下方に向けて突き出すように湾曲または屈曲してあることを特徴とする手すり取付金物としてある。
【００１３】
このように構成される手すり取付金物にあっては、カウンター機能を損なうことなく、当該カウンターの縁に沿って容易に手すりを構成することができる。
【００１４】
また、このように構成される手すり取付金物にあっては、当該手すり取付金物がカウンターと手すりバーとによって都合良く隠される状態で当該手すりバーとカウンターとを連結するように機能し、手すりの備え付けに伴うカウンターの意匠性を損なうことがない。
【００１５】
また、このように構成される手すり取付金物にあっては、当該手すり取付金物が手すりバーを握り用いる際の妨げとなることがなく、カウンターに備えられる手すりを効果的に用いることができる。
【００１６】
かかる構成からなる手すり取付金物にあって、前記カウンターの下面部に組み付けられる取付部が当該カウンターの下面部に備えられる凹部に収まるようにしてあることを特徴とする手すり取付金物では、前記特長に併せて、構成されるカウンター下面部がすっきりとした平面とされ、取付部に対する接触被傷などの不具合がなく、また、このカウンター下方の空間を有効に用いることができる。
【００１７】
ついで、第２の発明は、前記課題を解決するために、アーム部と、このアーム部の一端側に備えられてカウンターの下面部に取り付けられる取付部と、このアーム部の他端側に備えられて手すりバーの下面部に取り付けられる取付部とを備えており、しかも、このアーム部が前記それぞれの取付部から下方に向けて突き出すように湾曲または屈曲してある手すり取付金物における前記一方の取付部に止着されたカウンターの上面と、他方取付部に止着された手すりバーの上端とがほぼ同一の仮想の平面内に位置づけられていることを特徴とする手すり付きカウンターとしてある。
【００１８】
このように構成される手すり付きカウンターにあっては、当該手すりバーをカウンターにおける作業スペースの一部として用いることができ、いわゆるカウンターにおける作業スペースとして当該カウンターから当該手すりバーに到る全ての部分を用いることができる。
【発明の効果】
【００１９】
この発明にかかる手すり取付金物は、カウンターに溝加工や長孔加工等を施すことなく、当該カウンターに良好な手すり機能を有する態様で手すりバーを容易に、しかも、良好な外観体裁で備え付けることができる利点を有している。また、この発明にかかる手すり付きカウンターは、カウンターから手すりとしての機能を十分に備える手すりバー部分に到る部分の全てを作業スペースとして用い得る利点を有している。
【発明を実施するための最良の形態】
【００２０】
以下、図１〜図８に基づいて、この発明を実施するための最良の形態について説明する。
【００２１】
なお、ここで図１〜図４は、この発明を実施するための最良の形態に係る手すり取付金物３０及び手すり付きカウンターＡを示すものであって、図１では、カウンター４０と手すりバー２０の要部と手すり取付金物３０とを、これらを分離した状態で斜め上方から見て示している。図２では、カウンター４０に手すりバー２０を手すり取付金物３０を用いて取り付けた状態の要部を断面して示している。図３では、玄関５０の壁５１に備えられたニッチカウンター４０Ａに手すり取付金物３０を用いて手すりバー２０を備え付けた状態の要部を斜め上方から見て示している。図４では、トイレットに備えられている手洗いカウンター４０Ｂに手すり取付金物３０を用いて手すりバー２０を備え付けた状態の要部を斜め上方から見て示している。
図５及び図６は、この発明を実施するための最良の形態に係る他の手すり取付金物３０及び手すり付きカウンターＡを示すものであって、図５では、カウンター４０と手すりバー２０の要部と手すり取付金物３０とを、これらを分離した状態で斜め上方から見て示している。図６では、カウンター４０に手すりバー２０を手すり取付金物３０を用いて取り付けた状態の要部を断面して示している。
図７及び図８は、この発明を実施するための最良の形態に係る更に他の手すり取付金物３０及び手すり付きカウンターＡを示すものであって、図７では、カウンター４０と手すりバー２０の要部と手すり取付金物３０とを、これらを分離した状態で斜め上方から見て示している。図８では、カウンター４０に手すりバー２０を手すり取付金物３０を用いて取り付けた状態の要部を断面して示している。
【００２２】
この第１の発明を実施するための最良の形態に係る手すり取付金物３０は、カウンター４０の縁４０ａに沿って手すりバー２０を備え付ける手すり取付金物３０であって、
この手すり取付金物３０が、アーム部３１と、このアーム部３１の一端側に備えられて前記カウンター４０の下面部４０ｂに取り付けられる取付部３３と、このアーム部３１の他端側に備えられて前記手すりバー２０の下面部２０ａに取り付けられる取付部３２とを備えており、
このアーム部３１が前記それぞれの取付部３２、３３から下方に向けて突き出すように湾曲または屈曲してある。
【００２３】
かかる手すり取付金物３０を用いて各種カウンター４０に備えられる手すりバー２０は、当該カウンター４０の縁４０ａに沿って備えられる手すりバー２０であれば、いかなる素材からなる手すりバーであっても、また、いかなる形態からなる手すりバー２０であってもよい。また、カウンター４０の縁４０ａに沿って備えられている部分があれば、その余の手すりバー部分が当該縁４０ａから離れるように構成してあってもよい。かかる手すりバー２０は、丸棒等の断面が円形をなすものに限らず、当該手すりバー２０の断面形状が、楕円形状、四角形状、倒三角形状、倒台形状、不定形状等、当該手すりバー２０を握り用い得る形状のものであれば、いかなる形状に構成してあってもよい。
【００２４】
また、ここで手すりバー２０の備え付けられるカウンター４０は、その縁４０ａに当該手すりバー２０を備え付けて用い得るカウンター４０であれば、いかなる種類のカウンターであっても、また、いかなる形態をなすものであってもよい。かかる手すりバー２０の備えられるカウンター４０は、例えば、各種のキッチンユニットを構成するカウンター、洗面化粧台のカウンター、各種家具類に備えられているカウンター、各種キャビネット類に備えられているカウンター、玄関や玄関フロアー等に備えられている下駄箱等の各種収納家具類のカウンター、出窓部のカウンター、ニッチカウンター、手洗いカウンター等の各種壁備え付けのカウンターなど、前記手すりバー２０を前記手すり取付金物３０を用いて備え付け対象とし得るカウンターであれば、いかなるカウンターであってもよい。
【００２５】
また、前記手すり取付金物３０は、アーム部３１と、このアーム部３１の一端側に備えられて前記カウンター４０の下面部４０ｂに取り付けられる取付部３３と、このアーム部３１の他端側に備えられて前記手すりバー２０の下面部２０ａに取り付けられる取付部３２とを備えていると共に、これらのアーム部３１が前記それぞれの取付部３２、３３から下方に向けて突き出すように湾曲または屈曲してあれば、いかなる形態からなるものであってもよく、また、いかなる金属材によって構成してあてもよく、例えば、強度の観点から、鉄、銅、アルミニウム等の金属材料が好ましい。また、いかなる方法によって構成してあってもよく、例えば、各種鋳込み型に対する鋳込み、切削・曲げ・溶接加工等の各種の加工方法によって製作されたものを用いることができる。
【００２６】
また、ここで用いられる手すり取付金物３０のアーム部３１は、前記条件を満足し得るものであれば、棒状、管状、板状等、いかなる形態のものとして構成してあってもよい。また、このアーム部３１に備えられるカウンター取り付け用の取付部３３は、当該手すり取付金物３０をカウンター４０の下面部４０ｂに取り付け得るものであれば、板状、円盤状、角プレート状、棒状、管状等いかなる形態のものであってもよい。また、このアーム部３１に備えられる手すりバー取り付け用の取付部３２は、手すりバー２０の下面部２０ａに取り付け得るものであれば、平板状、湾曲板状、屈曲板状、角板状、円盤状等いかなる形態のものであってもよい。
【００２７】
このように構成される手すり取付金物３０にあっては、カウンター機能を損なうことなしに、当該カウンター４０の縁４０ａに沿って容易に手すり１０を構成することができる。
【００２８】
また、このように構成される手すり取付金物３０にあっては、当該手すり取付金物３０がカウンター４０と手すりバー２０とによって都合良く隠される状態で当該手すりバー２０とカウンター４０とを連結するように機能し、手すり１０の備え付けに伴うカウンター４０の意匠性を損なうことがない。
【００２９】
また、このように構成される手すり取付金物３０にあっては、当該手すり取付金物３０が手すりバー２０を握り用いる際の妨げとなることがなく、カウンター４０に備えられる手すり１０を効果的に用いることができる。
【００３０】
かかる構成からなる手すり取付金物３０にあって、前記カウンター４０の下面部４０ｂに組み付けられる取付部３３を当該カウンター４０の下面部４０ｂに備えられる凹部４０ｄに収まるようにしてある構成の手すり取付金物３０では、前記特長に併せて、構成されるカウンター４０下面部４０ｂがすっきりとした平面とされ、取付部３３に対する接触被傷などの不具合がなく、また、このカウンター４０下方の空間に各種キャビネットを組み入れる等効果的に用いることができる。  
【００３１】
ついで、第２の発明を実施するための最良の形態に係る手すり付きカウンターＡは、アーム部３１と、このアーム部３１の一端側に備えられてカウンター４０の下面部４０ｂに取り付けられる取付部３３と、このアーム部３１の他端側に備えられて手すりバー２０の下面部２０ａに取り付けられる取付部３２とを備えており、しかも、このアーム部３１が前記それぞれの取付部３２、３３から下方に向けて突き出すように湾曲または屈曲してある手すり取付金物３０における前記一方の取付部３３に止着されたカウンター４０の上面４０ｃと、他方取付部３２に止着された手すりバー２０の上端２０ｂとがほぼ同一の仮想の平面ｘーｘ内に位置づけられている。
【００３２】
このように構成される手すり付きカウンターＡにあっては、当該手すりバー２０をカウンター４０における作業スペースの一部として用いることができ、いわゆるカウンター４０における作業スペースとして当該カウンター４０から当該手すりバー２０に到る全ての部分を用いることができる。
【００３３】
なお、ここで手すり取付金物３０における前記一方の取付部３３に止着されたカウンター４０の上面４０ｃと、他方取付部３２に止着された手すりバー２０の上端２０ｂとがほぼ同一の仮想の平面ｘーｘ内に位置づけられているとは、当該手すりバー２０の上端２０ｂが前記仮想の平面ｘーｘに位置づけられている場合と、当該手すりバー２０の上端２０ｂが前記仮想の平面ｘーｘからやや上方に突き出すように位置づけられている場合と、当該手すりバー２０の上端２０ｂが前記仮想の平面ｘーｘよりやや下方に位置づけられている場合とを含む概念である。
【００３４】
なお、前記カウンター４０に備えられている手すりバー２０は、前記カウンター４０側と先端側との間の当該手すりバー２０の幅寸法をほぼ３００mm〜４００mmとしてあり、当該手すりバー２０を容易に握り用い得る大きさにしてある。また、この手すりバー２０と前記カウンター４０との間の間隔をほぼ４００mm、前記仮想の平面ｘーｘと当該平面ｘーｘからもっとも離れている前記手すり取付金物３０におけるアーム部３１の上端３１’との間の間隔をほぼ６００mm〜６５０mmとしてあり、手すりバー２０を都合よく握り用い得ると共に当該手すりバー２０をカウンター４０の一部として都合よく用い得るものとしてあり、しかも、この手すり取付金物３０が外部から比較的見え難くカウンター４０の外観を損なわないようにされている。
【００３５】
ついで、図１及び図２に示される手すり取付金物３０及び手すり付きカウンターＡについて具体的に説明する。
【００３６】
この図１及び図２に示される手すり取付金物３０は、カウンター４０の縁４０ａに沿って手すりバー２０を備え付ける手すり取付金物３０であって、しかも、この手すり取付金物３０が、アーム部３１と、このアーム部３１の一端側に備えられて前記カウンター４０の下面部４０ｂに取り付けられる取付部３３と、このアーム部３１の他端側に備えられて前記手すりバー２０の下面部２０ａに取り付けられる取付部３２とを備えていると共に、このアーム部３１が前記それぞれの取付部３２、３３から下方に向けて突き出すように湾曲してある。
【００３７】
そして、この図１及び図２に示される手すり付きカウンターＡは、アーム部３１と、このアーム部３１の一端側に備えられてカウンター４０の下面部４０ｂに取り付けられる取付部３３と、このアーム部３１の他端側に備えられて手すりバー２０の下面部２０ａに取り付けられる取付部３２とを備えており、しかも、このアーム部３１が前記それぞれの取付部３２、３３から下方に向けて突き出すように湾曲してある手すり取付金物３０における前記一方の取付部３３に止着されたカウンター４０の上面４０ｃと、他方取付部３２に止着された手すりバー２０の上端２０ｂとがほぼ同一の仮想の平面ｘーｘ内に位置づけられている。
【００３８】
この図示例に係る手すり取付金物３０は、弧状に湾曲された棒状のアーム部３１、典型的には、ほぼ半円状をなすように湾曲された棒状のアーム部３１と、このアーム部３１の一端側に当該棒状のアーム部３１の延長線上に連続するように水平の向きに備えられている一方の取付部３３をなす平板状取付部３３’と、当該アーム部３１の他端側にこの棒状をなすアーム部３１の延長線に直交する向きに樋状に延びる浅く湾曲した他方の取付部３２をなす湾曲板状取付部３２’とを備えた構成としてある。
【００３９】
この湾曲板状取付部３２’は、前記手すりバー２０の周側面に密着し得るように、当該手すりバー２０における円周方向の面に密着される湾曲面３２ｂを備えており、当該手すりバー２０の下面部２０ａの弧状面２０ａ’をこの樋状湾曲面３２ｂに受け入れた状態で当該手すりバー２０にビス３４で止着するようにしてあり、このビス３４の挿通される孔３２ａを上下方向に貫通した態様に備えた構成としてある。
【００４０】
また、前記平板状取付部３３’は、所定の間隔を離して複数のビス３４の挿通される孔３３ａを設け得る長さを備えており、前記カウンター４０における手すりバー２０の備え付けられる縁４０ａの下部側のやや内側から当該縁４０ａに直交するように当該カウンター４０の下面に備えられている前記凹部４０ｄをなす溝状凹部４０ｄ’内に都合よく収まる形態に構成してあり、この平板状取付部３３’を溝状凹部４０ｄ’内に納め入れた状態で前記孔３３ａを通じてビス３４を当該カウンター４０にねじ入れることによって、当該カウンター４０の下面部４０ｂに前記取付部３３を止着するようにしてある。
【００４１】
かかる手すり取付金物３０は、湾曲された前記棒状のアーム部３１の両端に備えられる各取付部３２、３３を同一の平面内に位置づけるようにしてあっても、また、当該各取付部３２、３３が同一の平面内に位置づけられていなくてもよい。
【００４２】
ついで、前記手すり取付金物３０を用いて手すりバー２０の備え付けられるカウンター４０は、いわゆるカウンター４０として機能し得るものであれば、いかなるカウンターであってもよく、例えば、履物入れや玄関収納等として用いられる家具の天板部分として構成されるカウンター、屋内に置いて用いられる各種家具の天板部分として構成されるカウンター、厨房設備を構成する各種厨房家具やシステムキッチン等のカウンター、リビングとキッチン間に備えられる仕切設備におけるカウンター、洗面化粧台におけるカウンター、トイレットにおける手洗いカウンター、ニッチや出窓などのように壁に備えられる各種カウンターなど、いかなるカウンターに対しても当該手すり取付金物３０を用いて手すりバー２０を備え付けて、カウンター機能の拡張と使い易い手すり１０を構成することができる。
【００４３】
また、前記手すり取付金物３０を用いて前記カウンター４０の縁４０ａに沿って備えられる手すりバー２０は、当該カウンター４０に前記手すり取付金物３０を用いて備え付けられて、当該カウンター４０におけるカウンター機能を拡張し、しかも、手すり１０として効果的に用い得るものであれば、いかなるものであってもよい。
【００４４】
この図示例にあっては、前記カウンター４０の直線状をなす縁４０ａに沿って、当該縁４０ａに平行をなすように前記手すり取付金物３０を用いて備えられた丸棒を手すりバー２０としてある。
【００４５】
かかるカウンター４０の下面部４０ｂに備えられている前記溝状凹部４０ｄ’に手すり取付金物３０における平板状取付部３３’を納め入れるようにして当該手すり取付金物３０をビス３４を用いて止着し、また、この手すり取付金物３０における湾曲板状取付部３２’における湾曲面３２ｂに手すりバー２０を載せかけるようにしてビス３４を用いて当該手すりバー２０を手すり取付金物３０に止着し、当該手すりバー２０をカウンター４０における縁４０ａに沿って平行をなすように備え付けて、当該手すり付きカウンターＡを構成する。
【００４６】
かかる手すり取付金物３０を用いて手すり付きカウンターＡを構成するカウンター４０と手すりバー２０は、この手すりバー２０が当該カウンター４０におけるカウンター機能を拡張し、かつ、手すり１０として効果的に用い得るようにしてあり、典型的には、このカウンター４０の上面４０ｃと、手すりバー２０における上端２０ｂとが、同一の仮想の平面ｘーｘ内に位置づけられるようにしてあるか、当該手すりバー２０の上端２０ｂが前記仮想の平面ｘーｘからわずかに上方に突き出した状態としてあるか、当該手すりバー２０の上端２０ｂが前記仮想の平面ｘーｘから僅かに下方に位置するように位置づけられた状態としてあり、その、いずれにおいても、前記手すりバー２０を手すり１０として効果的に用い、かつ、カウンター機能の拡張手段として用い得るようにしてある。
【００４７】
図１及び図２に示される手すり付きカウンターＡにあっては、カウンター４０の上面４０ｃを含む仮想の平面ｘーｘ内に手すりバー２０の上端２０ｂを位置づけており、しかも、この仮想の平面ｘーｘと前記手すり取付金物３０の湾曲したアーム部３１における最も深い位置のアーム部３１の上端３１’との間の間隔を６５０mm、手すりバー２０の直径を３００mm、手すりバー２０とカウンター４０との間の間隔を４００mmとして、手すり１０として効果的に用い得る手すりバー２０にカウンター４０の拡張機能をもたらすようにしてある。
【００４８】
図３は、このような手すり付きカウンターＡの典型的な適用例としてのニッチ５２を示している。
【００４９】
この図３に示されるニッチ５２は、壁５１にニッチ５２を構成するに適する凹みを設け、この凹みの下部を構成する前記カウンター４０をなすニッチカウンター４０Ａに前記手すり取付金物３０によって、ほぼ台形状をなすように壁面から前方に突き出されているカウンター４０部分の前端の縁４０ａに沿うように手すりバー２０を設けたものであって、この手すりバー２０を握って各種の動作の補助をなし得るようにしてある。また、この手すりバー２０を前記ニッチカウンター４０Ａにおけるカウンター機能の拡張手段として用い得るようにしてある。
【００５０】
この図示例にかかるニッチカウンター４０Ａは、玄関５０の上がり框５５の側方に位置する壁５１部分にあって、当該手すりバー２０を用いて、玄関土間５３と玄関フロアー５４との間の上がり下りを円滑になし得る位置に設けてある。
【００５１】
このように構成される手すりバー２０は、各種動作に際して当該手すりバー２０を握っての円滑な動作を保障すると共に、この手すりバー２０を握って移動する際に前記ニッチカウンター４０Ａを肘掛け手段として用いることができる。また、この手すりバー２０とニッチカウンター４０Ａとにわたるように各種物品等を載せかけたり、飾り付けたりすることができる。なお、このニッチ５２部分には、一対の縦手すり５６を当該ニッチカウンター４０Ａと壁５１に備えられている取付金物５７とで支持することにより当該ニッチカウンター４０Ａに起立状態に設けてある。
【００５２】
図４は、前記手すり付きカウンターＡをトイレット６０に備えたものであって、トイレット６０の壁６１に備えられて当該カウンター４０をなす手洗いカウンター４０Ｂ、この図示例にあっては、設置洋式便器６５の側方にあって、当該洋式便器６５を用いる人が都合よく手すりバー２０を握り用い得ると共に備え付けの手洗い槽６２を都合よく用い得る高さに当該手洗いカウンター４０Ｂを設けてある。
【００５３】
この図示例にかかる手洗いカウンター４０Ｂは、トイレット６０における洋式便器６５の側方にある壁６１にほぼ水平の状態で備えられており、ドア側に水栓金具６３を有する手洗い槽６２を備えていると共に、下面側にトイレットペーパー６４を繰り出し使用可能に備えた構成としてある。そして、この洋式便器６５の側方から前記手洗い槽６２に到る間にある当該手洗いカウンター４０Ｂにおける前端側縁４０ａに沿って手すりバー２０を前記手すり取付金物３０を用いて備え付けてある。
【００５４】
ここで手洗いカウンター４０Ｂに備えられる手すりバー２０は、当該手すりバー２０を用いて洋式便器６５にまで移動し、かつ、当該洋式便器６５を用いるための立ち座りや、当該洋式便器６５から手洗い槽６２に移動する手段として用いうる態様に設けてあり、当該各動作に際して手洗いカウンター４０Ｂが肘掛けとして用い得るように構成してある。また、この手すりバー２０と当該手洗いカウンター４０Ｂとに跨るように各種物品を載せかけたり、置く等して、当該手すりバー２０を手洗いカウンター４０Ｂの一部として用い得るようにしてある。
【００５５】
なお、前記手すりバー２０は用便後において手洗いをなそうとする者が、洋式便器６５より立ち上がり移動した際に握り用い得る位置に縦手すり部１０’を備えた構成としてある。この縦手すり部１０’は、洋式便器６５から手洗い槽６２の側に向けて移動した人が当該手洗い槽６２を容易に用い得るように当該手洗い槽６２の側方で前記手洗いカウンター４０Ｂの縁４０ａに沿って備えられている前記手すりバー２０を起立させて設けてあり、その上部側を壁６１側に屈曲して当該壁６１に固定するようにしてある。
【００５６】
ついで、図５及び図６に示される手すり取付金物３０は、カウンター４０の縁４０ａに沿って手すりバー２０を備え付ける手すり取付金物３０であって、しかも、この手すり取付金物３０が、アーム部３１と、このアーム部３１の一端側に備えられて前記カウンター４０の下面部４０ｂに取り付けられる取付部３３と、このアーム部３１の他端側に備えられて前記手すりバー２０の下面部２０ａに取り付けられる取付部３２とを備えていると共に、このアーム部３１が前記それぞれの取付部３２、３３から下方に向けて突き出すように屈曲してある。
【００５７】
そして、この図５及び図６に示される手すり付きカウンターＡは、アーム部３１と、このアーム部３１の一端側に備えられてカウンター４０の下面部４０ｂに取り付けられる取付部３３と、このアーム部３１の他端側に備えられて手すりバー２０の下面部２０ａに取り付けられる取付部３２とを備えており、しかも、このアーム部３１が前記それぞれの取付部３２、３３から下方に向けて突き出すように屈曲してある手すり取付金物３０における前記一方の取付部３３に止着されたカウンター４０の上面４０ｃと、他方取付部３２に止着された手すりバー２０の上端２０ｂとがほぼ同一の仮想の平面ｘーｘ内に位置づけられている。
【００５８】
かかる図５及び図６に示される手すり付きカウンターＡ及び手すり取付金物３０は、手すりバー２０の断面形状を各隅部に丸みを持たせたほぼ四角形状のものとしてあり、また、手すり取付金物３０を屈曲した棒状のアーム部３１としてあり、この手すり取付金物３０における一方の取付部３２を当該角棒状の手すりバー２０の下面部２０ａに都合よく密着する構成とした以外の構成を前記図１〜図４に示される手すり付きカウンターＡ及び手すり取付金物３０の構成と同一または実質的に同一の構成としてあり、同様にして用いられると共に、同一の効果を奏し得るものとしてある。
【００５９】
従って、前記図１〜図４の構成と同一または実質的に同一の構成部分には同一の番号を付して、その説明を省略する。
【００６０】
この図５及び図６に示される手すりバー２０は、各四隅をアール面とするように面取りを施したほぼ四角形の断面形状をなす棒体によって構成してあり、この手すりバー２０の下面部２０ａを構成する平面２０ａ”を手すり取付金物３０によって支承されるようにしてある。
【００６１】
かかる図５及び図６に示される手すり取付金物３０は、ほぼ水平状の横向棒状部３１ａと、当該横向棒状部３１ａの両端から上方に向けてほぼ直角に起立する縦向き棒状部３１ｂとを備えたコ字状に屈曲されたアーム部３１と、このアーム部３１の一端側に当該アーム部３１の延長線上に連続するように水平の向きに備えられている平板状取付部３３’と、当該アーム部３１の他端側にこのアーム部３１の延長線に直交する向きに板状に延びる平板状取付部３２”とを備えた構成としてある。
【００６２】
この平板状取付部３２”は、前記手すりバー２０の下面部２０ａにおける平面２０ａ”に密着するように当該手すりバー２０を支承した状態で、この平板状取付部３２”に設けられている孔３２ａから当該手すりバー２０にビス３４をねじ入れ、当該手すりバー２０に止着してある。
【００６３】
また、前記平板状取付部３３’は、所定の間隔を離して複数のビス３４の挿通される孔３３ａを設け得る長さを備えており、前記カウンター４０における手すりバー２０の備え付けられる縁４０ａの下部側にあった、この縁４０ａのやや内側から当該縁４０ａに直交するように当該カウンター４０の下面に備えられている凹部４０ｄとしての溝状凹部４０ｄ’内に都合よく収まる形態に構成してあり、この平板状取付部３３’を溝状凹部４０ｄ’内に納め入れた状態で前記孔３３ａを通じてビス３４を当該カウンター４０にねじ入れることによって、当該カウンター４０の下面部４０ｂに止着してある。
【００６４】
この図５及び図６に示される手すり付きカウンターＡにあっては、カウンター４０の上面４０ｃを含む仮想の平面ｘーｘ内に手すりバー２０の上端２０ｂをなす面２０ｂ’を位置づけており、しかも、この仮想の平面ｘーｘと前記手すり取付金物３０の横向棒状部３１ａの上端３１’との間の間隔を６００mm、手すりバー２０の幅を３５０mm、手すりバー２０とカウンター４０との間の間隔を４００mmとして、手すり１０として効果的に用い得る手すりバー２０にカウンター４０の拡張機能をもたらすようにしてある。
【００６５】
ついで、図７及び図８に示される手すり取付金物３０は、カウンター４０の縁４０ａに沿って手すりバー２０を備え付ける手すり取付金物３０であって、しかも、この手すり取付金物３０が、アーム部３１と、このアーム部３１の一端側に備えられて前記カウンター４０の下面部４０ｂに取り付けられる取付部３３と、このアーム部３１の他端側に備えられて前記手すりバー２０の下面部２０ａに取り付けられる取付部３２とを備えていると共に、このアーム部３１が前記それぞれの取付部３２、３３から下方に向けて突き出すように屈曲してある。
【００６６】
そして、この図７及び図８に示される手すり付きカウンターＡは、アーム部３１と、このアーム部３１の一端側に備えられてカウンター４０の下面部４０ｂに取り付けられる取付部３３と、このアーム部３１の他端側に備えられて手すりバー２０の下面部２０ａに取り付けられる取付部３２とを備えており、しかも、このアーム部３１が前記それぞれの取付部３２、３３から下方に向けて突き出すように屈曲してある手すり取付金物３０における前記一方の取付部３３に止着されたカウンター４０の上面４０ｃと、他方取付部３２に止着された手すりバー２０の上端２０ｂとがほぼ同一の仮想の平面ｘーｘ内に位置づけられている。
【００６７】
かかる図７及び図８に示される手すり付きカウンターＡ及び手すり取付金物３０は、手すりバー２０の断面形状を各隅部に丸みを持たせた倒台形状としてあり、しかも、手すり取付金物３０を屈曲した棒状のアーム部３１としてあり、また、この手すり取付金物３０における一方取付部３２を当該棒状の手すりバー２０の下面部２０ａに都合よく密着する構成とした以外の構成を前記図１〜図４に示される手すり付きカウンターＡ及び手すり取付金物３０の構成と同一または実質的に同一の構成としてあり、同様にして用いられると共に、同一の効果を奏し得るものとしてある。
【００６８】
従って、前記図１〜図４の構成と同一または実質的に同一の部分には同一の番号を付して、その説明を省略する。
【００６９】
この図７及び図８に示される手すりバー２０は、各隅部をアール面とするように面取りを施した倒台形状の断面形状をなす棒体によって構成してあり、この手すりバー２０の下面部２０ａをなす弧状面２０ａ’を手すり取付金物３０によって支承されるようにしてある。
【００７０】
かかる図７及び図８に示される手すり取付金物３０は、ほぼ水平状の横向棒状部３１ａと当該横向棒状部３１ａの一端側から前記カウンター４０側に屈曲して延びる傾斜棒状部３１ｃと他端側から上方に向けてほぼ直角に起立するように延びる縦向き棒状部３１ｂとを備えたアーム部３１と、この傾斜棒状部３１ｃの延長線上に当該傾斜棒状部３１ｃ端に連続するように水平の向きに備えられている平板状取付部３３’と、前記縦向き棒状部３１ｂの延長線に直交する向きに当該縦向き棒状部３１ｂ端から浅い湾曲樋状に延びる湾曲板状取付部３２’とを備えた構成としてある。
【００７１】
この湾曲板状取付部３２’は、前記手すりバー２０の下面部２０ａを構成する弧状面２０ａ’に密着し得るように、当該手すりバー２０における周回方向の弧状面２０ａ’に密着される湾曲面３２ｂを備えており、当該手すりバー２０の下面部２０ａをこの樋状湾曲面３２ｂに受け入れた状態で、この湾曲板状取付部３２’に設けられている孔３２ａから当該手すりバー２０にビス３４をねじ入れて、当該手すりバー２０に止着してある。
【００７２】
また、前記平板状取付部３３’は、所定の間隔を離して複数のビス３４の挿通される孔３３ａを設け得る長さを備えており、前記カウンター４０における手すりバー２０の備え付けられる縁４０ａの下部側にあって、この縁４０ａのやや内側から当該縁４０ａに直交するように当該カウンター４０の下面に備えられている凹部４０ｄをなす溝状凹部４０ｄ’内に都合よく収まる形態に構成してあり、この平板状取付部３３’を溝状凹部４０ｄ’内に納め入れた状態で前記孔３３ａを通じてビス３４を当該カウンター４０にねじ入れることによって、当該カウンター４０の下面部４０ｂに止着してある。
【００７３】
この図７及び図８に示される手すり付きカウンターＡにあっては、カウンター４０の上面４０ｃを含む仮想の平面ｘーｘ内に手すりバー２０の上端２０ｂをなす面２０ｂ’を位置づけており、しかも、この仮想の平面ｘーｘと前記手すり取付金物３０の横向棒状部３１ａの上端３１’との間の間隔を６５０mm、手すりバー２０の上端部の幅を４００mm、手すりバー２０とカウンター４０との間の間隔を４００mmとして、手すり１０として効果的に用い得る手すりバー２０にカウンター４０の拡張機能をもたらすようにしてある。
【図面の簡単な説明】
【００７４】
【図１】典型的な手すり付きカウンター及び手すり取付金物を分離した状態で、その要部を示した斜視図
【図２】同組み付け状態を示した要部断面図
【図３】同適用例の一例を示した斜視図
【図４】同他の適用例を示した斜視図
【図５】他の典型的な手すり付きカウンター及び手すり取付金物を分離した状態で、その要部を示した斜視図
【図６】同組み付け状態を示した要部断面図
【図７】更に他の典型的な手すり付きカウンター及び手すり取付金物を分離した状態で、その要部を示した斜視図
【図８】同組み付け状態を示した要部断面図
【符号の説明】
【００７５】
Ａ  手すり付きカウンター
１０  手すり
２０  手すりバー
２０’  下面部
２０ｂ  上端
３０  手すり取付金物
３１  アーム部
３２  取付部
３３  取付部
４０  カウンター
４０ａ  縁
４０ｂ  下面部
４０ｃ  上面
【図１】
2006144451.tif 000003
【図２】
2006144451.tif 000004
【図３】
2006144451.tif 000005
【図４】
2006144451.tif 000006
【図５】
2006144451.tif 000007
【図６】
2006144451.tif 000008
【図７】
2006144451.tif 000009
【図８】
2006144451.tif 000010